(57)【要約】【課題】  絶縁ヤットコ等の把持手段を用いて確実に把持することができ、把持した状態での間接活線作業の作業性を向上させることができる間接活線作業用連結具を提供することを課題とする。【解決手段】  架設された幹線及び該幹線から電路を分岐する分岐線を連結可能に構成された連結具本体と、該連結具本体から延出するように形成された延出部と、前記連結具本体を挟み込むように連結具本体の離間した位置に取り付けられた一対のバネ部材とを備える間接活線作業用連結具において、前記延出部を把持すべく一対の先端部が接離自在に構成された把持手段の一対の先端部のうち少なくとも一方の先端部を挿入可能に形成された挿入孔が前記一対のバネ部材の間に位置するように前記延出部に備えられることを特徴とする。【選択図】図１
2010129340.tif 000002
【特許請求の範囲】
【請求項１】
架設された幹線及び該幹線から電路を分岐する分岐線を連結可能に構成された連結具本体と、該連結具本体から延出するように形成された延出部と、前記連結具本体を挟み込むように連結具本体の離間した位置に取り付けられた一対のバネ部材とを備える間接活線作業用連結具において、前記延出部を把持すべく一対の先端部が接離自在に構成された把持手段の一対の先端部のうち少なくとも一方の先端部を挿入可能に形成された挿入孔が前記一対のバネ部材の間に位置するように前記延出部に備えられることを特徴とする間接活線作業用連結具。
【請求項２】
前記挿入孔は、一対のバネ部材よりも延出部の延出方向側に位置するように形成されることを特徴とする請求項１に記載の間接活線作業用連結具。
【請求項３】
前記一対のバネ部材をそれぞれ挿通可能に形成され、前記延出部の離間した位置に設けられた一対のバネ部材挿通孔の間に前記挿入孔を備え、該バネ部材挿通孔に挿通されたバネ部材が挿入孔に対して接離自在に構成されることを特徴とする請求項１又は２に記載の間接活線作業用連結具。
【発明の詳細な説明】
【技術分野】
【０００１】
本発明は、架設された幹線と該幹線から電路を分岐する分岐線とを連結する間接活線作業用連結具に関し、特に、把持手段を用いて把持可能な間接活線作業用連結具に関する。
【背景技術】
【０００２】
従来から、鉄塔や電柱に架設された幹線（例えば、高圧配電線等）に分岐線（例えば、引下線等）を連結して電気的に電路を分岐し、高圧カットアウトや変圧器等を介して一般家庭等への電力の供給が行なわれている。この際、幹線と分岐線との連結には、専用の連結具が用いられている。該連結具は、幹線と分岐線とを連結可能に構成された連結具本体と、該連結具本体から延出する延出部とから構成されるものであり、連結具本体に備えられた締付部材（例えば、ボルト部材）を締め込むことで幹線及び分岐線を連結具に接続可能に構成されている（特許文献１参照）。また、該連結具は、架設された幹線及び分岐線に対して取り付け取り外しされる際には、間接活線作業用工具（絶縁やっとこ等の把持手段）を用いて延出部を把持した状態で作業が行われている。
【特許文献１】特開２００２−５６９４２号公報
【発明の開示】
【発明が解決しようとする課題】
【０００３】
しかしながら、上記のような連結具は、一般的に全体が金属製の素材を用いて形成されており、また、絶縁ヤットコ等の把持工具も対象物を把持する先端部は、一般的に金属製の素材を用いて形成されているため、把持工具を用いて延出部を把持した際に滑りやすく、把持した状態を維持することが困難となっている。特に、連結具に対して幹線及び分岐線を取り付け取り外しする際には、連結具を把持した状態で連結具を移動させたり、連結具を幹線に押し付けたりする場合があり、また、連結具を把持した状態で間接活線作業用ラチェット等で締付部材（ボルト部材）を回転させたりする場合もあるため、把持工具から連結具が容易に脱落してしまうことがある。このため、連結具を把持手段を用いて把持した状態での作業性が悪く、さらに、連結具が脱落した際には他の配電設備等に接触するなどの危険性がある。
【０００４】
そこで、本発明は、絶縁ヤットコ等の把持手段を用いて確実に延出部を把持することができ、把持した状態での間接活線作業の作業性を向上させることができる間接活線作業用連結具を提供することを課題とする。
【課題を解決するための手段】
【０００５】
本発明にかかる間接活線作業用連結具は、架設された幹線及び該幹線から電路を分岐する分岐線を連結可能に構成された連結具本体と、該連結具本体から延出するように形成された延出部と、前記連結具本体を挟み込むように連結具本体の離間した位置に取り付けられた一対のバネ部材とを備える間接活線作業用連結具において、前記延出部を把持すべく一対の先端部が接離自在に構成された把持手段の一対の先端部のうち少なくとも一方の先端部を挿入可能に形成された挿入孔が前記一対のバネ部材の間に位置するように前記延出部に備えられることを特徴とする。
【０００６】
かかる構成の間接活線作業用連結具によれば、前記把持手段の少なくとも一方の先端部を挿入可能に構成された挿入孔が一対のバネ部材の間に位置するように前記延出部に備えられることで、把持手段を用いて延出部を把持した際に確実に延出部を把持することができる。
【０００７】
具体的には、把持手段の少なくとも一方の先端部を挿入孔に挿入して把持手段の一対の先端部を閉じることで、把持手段の少なくとも一方の先端部が挿入孔と掛合した状態となる。このため、把持手段の一対の先端部を閉じた状態に維持することで、延出部を把持した状態を容易に維持することができる。これにより、把持手段を用いて延出部を挟み込むように把持した場合のように、把持手段が延出部から滑ってしまうことがなく、また、より少ない力で安定して把持することができる。
【０００８】
また、本発明にかかる間接活線作業用連結具は、前記挿入孔が一対のバネ部材よりも延出部の延出方向側に位置するように形成されることが好ましい。
【０００９】
かかる構成の間接活線作業用連結具によれば、挿入孔がバネ部材よりも延出部の延出方向側に位置するように形成されることで、挿入孔に把持手段の先端部を挿入する際に、バネ部材が障害となることを抑制することができる。
【００１０】
具体的には、例えば、挿入孔の全体が一対のバネ部材の間に位置している場合には、把持手段の一対の先端部を挿入孔に接近させ、挿入する際に、把持手段を接近させる方向によっては把持手段の先端部がバネ部材と干渉してしまい、確実に把持することが困難となる場合がある。特に、架設された幹線及び分岐線に連結具が取り付けられている状態では、他の配電設備等の位置などによって、把持手段を接近させる方向が制限されてしまう場合があり、把持手段を挿入孔に接近させた際にバネ部材が障害となって挿入孔に把持手段の先端部を挿入することが困難となる場合がある。しかしながら、挿入孔がバネ部材よりも延出部の延出方向側に位置することで、様々な方向から把持手段を挿入孔に接近させることが可能となり、バネ部材の影響を受けることなく容易に把持することができる。
【００１１】
また、本発明にかかる間接活線作業用連結具は、前記一対のバネ部材をそれぞれ挿通可能に形成され、前記延出部の離間した位置に設けられた一対のバネ部材挿通孔の間に前記挿入孔を備え、該バネ部材挿通孔に挿通されたバネ部材が挿入孔に対して接離自在に構成されることが好ましい。
【００１２】
かかる構成の間接活線作業用連結具によれば、バネ部材挿通孔に挿通されたバネ部材が挿入孔に対して接離自在であることで、挿入孔に把持手段の先端部を接近させた際に、バネ部材が把持手段の先端部と干渉することを抑制することができる。具体的には、把持手段の先端部を挿入孔に接近させる際に、バネ部材挿通孔の内側においてバネ部材を挿入孔から離間させることで、把持手段の一方の先端部を挿入孔に挿入する際にバネ部材と把持手段の先端部とが干渉することなく容易に延出部を把持することができる。
【発明の効果】
【００１３】
以上のように、本発明によれば、絶縁ヤットコ等の把持手段を用いて確実に延出部を把持することができ、把持した状態での間接活線作業の作業性を向上させることができる。
【発明を実施するための最良の形態】
【００１４】
＜第一実施形態＞
以下、本発明の第一実施形態について図１〜３を参照しながら説明する。
【００１５】
本実施形態にかかる間接活線作業用連結具１（以下、連結具１と記す）は、架設された幹線Ｃａと該幹線Ｃａから電路を分岐する分岐線Ｃｂとを連結する際に使用するものである。具体的には、図１に示すように、幹線Ｃａと分岐線Ｃｂとの一部の被覆が剥がされて導線が露出した部分（以下、導線部）が連結具１に接続されることで幹線Ｃａと分岐線Ｃｂとを電気的に連結するように構成されている。一般的には、幹線Ｃａの導線部は、幹線Ｃａの所定箇所に設けられ、一方、分岐線Ｃｂの導線部は、分岐線Ｃｂの一端部に設けられている。また、連結具１は、一対の先端部が接離自在に構成された把持手段Ｉを用いて把持可能に構成され、把持された状態で幹線Ｃａ及び分岐線Ｃｂに取り付け取り外しが可能となっている。
【００１６】
前記連結具１は、幹線Ｃａ及び分岐線Ｃｂを連結可能に構成された連結具本体２と、該連結具本体２から延出するように形成された延出部３と、前記連結具本体２を挟み込むように連結具本体２の離間した位置に取り付けられた一対のバネ部材４とを備えている。
【００１７】
前記連結具本体２は、幹線Ｃａの導線部と分岐線Ｃｂの導線部を挟み込むように構成されている。具体的には、連結具本体２は、対向して配置される一対の挟込部材２ａ，２ｂと該挟込部材２ａ，２ｂに挿通された状態で連結具本体２を挿通方向から締め付ける締付部材２ｃとを備えている。そして、挟込部材２ａ，２ｂの間に幹線Ｃａ及び分岐線Ｃｂの導線部を挟み込むことで幹線Ｃａ及び分岐線Ｃｂが連結具本体２に接続されるように構成されている。より詳しくは、連結具本体２は、幹線Ｃａの導線部を接続する幹線接続部２１と分岐線Ｃｂの導線部を接続する分岐線接続部２２とを備えている。
【００１８】
幹線接続部２１は、連結具本体２の一端側（幹線Ｃａ及び分岐線Ｃｂが連結具本体２に接続された状態における上端側）に設けられている。具体的には、幹線接続部２１は、挟込部材２ａ，２ｂの一端側を横断するように形成された一対の幹線接続溝２１ａ，２１ｂから構成されている。該幹線接続溝２１ａ，２１ｂは、その間に幹線Ｃａの導線部を挟み込むことができるように形成されている。
【００１９】
また、分岐線接続部２２は、連結具本体２の他端側（幹線Ｃａ及び分岐線Ｃｂが連結具本体２に接続された状態における下端側）に設けられている。具体的には、分岐線接続部２２は、前記幹線接続溝２１ａ，２１ｂに沿って挟込部材２ａ，２ｂの他端側を横断するように形成された一対の分岐線接続溝２２ａ，２２ｂから構成されている。該分岐線接続溝２２ａ，２２ｂは、その間に分岐線Ｃｂの導線部を挟み込むことができるように形成されている。
【００２０】
なお、以下では、挟込部材２ａ，２ｂが対峙する側に向かう方向を内方といい、内方に対向する方向を外方という。また、幹線接続部２１と分岐線接続部２２との中間から見て、幹線接続部２１が形成される側を上、分岐線接続部２２が形成される側を下とする。
【００２１】
また、連結具本体２は、上端部に幹線接続部２１に沿って形成された幹線差込溝２３を備えている。該幹線差込溝２３は、幹線接続部２１に連なるように形成されている。具体的には、幹線差込溝２３は、挟込部材２ａ，２ｂのそれぞれの上端部の一部が内方に向かってテーパー状に形成されたテーパー部２３ａ，２３ｂから構成され、該テーパー部２３ａ，２３ｂは、幹線接続溝２１ａ，２１ｂに連なるように形成されている。
【００２２】
また、連結具本体２は、前記バネ部材４が取り付けられた状態において、その上端側が開閉可能に構成されている。具体的には、連結具本体２は、挟込部材２ａ，２ｂが分岐線接続部２２を軸に上端側が開閉可能に構成されている。
【００２３】
また、連結具本体２は、幅方向（幹線接続溝２１ａ，２１ｂ及び分岐線接続溝２２ａ，２２ｂの伸びる方向）の両端部に前記バネ部材４を取り付け可能に構成された一対のバネ部材取付孔４１ａ，４１ｂを備えている。該バネ部材取付孔４１ａ，４１ｂは、円形状に形成され、バネ部材４の両端部を差し込み可能に形成されている。即ち、前記一対のバネ部材４は、連結具本体２に幹線Ｃａ及び分岐線Ｃｂが接続された状態において、幹線Ｃａ及び分岐線Ｃｂの軸方向に間隔をおいて連結具本体２に取り付けられている。
【００２４】
また、連結具本体２は、略立方体状に形成されている。具体的には、連結具本体２は、一対の挟込部材２ａ，２ｂが正面視略四角形状の板部材から形成されると共に、その四角形状に形成された面同士が対峙するように配置されることで、全体として略立方体状に形成されている。また、連結具本体２は、導電性の素材（例えば、鉄等の金属製の素材）を用いて構成されている。
【００２５】
前記締付部材２ｃは、連結具本体２の略中央部を挿通するように備えられている。具体的には、締付部材２ｃは、ボルト部材２１ｃと座金部材２２ｃ（本実施形態においては、平座金及びバネ座金）とから構成されている。ボルト部材２１ｃは、その一端部にボルト頭部が形成され、該ボルト頭部から他端側に伸びるボルト軸が連結具本体２を挿通する
ように構成されている。
【００２６】
また、ボルト部材２１ｃ（詳しくは、ボルト軸）は、連結具本体２に螺合するように構成されている。具体的には、ボルト部材２１ｃは、挟込部材２ｂを貫通すると共に挟込部材２ａに螺合するように構成されている。これにより、挟込部材２ｂは、挟込部材２ａに対して可動するように構成されている。具体的には、挟込部材２ｂは、締付部材２ｃが緩んだ状態において、分岐線接続部２２を軸に挟込部材２ａに対して揺動可能に構成されている。また、座金部材２２ｃは、ボルト部材２１ｃが連結具本体２に挿通された状態において、ボルト頭部と連結具本体２との間に配置されている。以上のような構成により、ボルト部材２１ｃを締めこむことで挟込部材２ｂが挟込部材２ａ側に付勢され、連結具本体２を締付部材２ｃの挿通方向から締め付け可能となっている。
【００２７】
前記延出部３は、前記把持手段Ｉを用いて把持可能に構成されている。具体的には、延出部３は、連結具本体２の下端部（幹線Ｃａ及び分岐線Ｃｂが連結具本体２に接続された状態における下端部）から下方に向かって延出するように形成されている。具体的には、延出部３は、挟込部材２ａと一体的に形成され、挟込部材２ａの下端部から下方に向かって延出するように形成されている。また、延出部３は、板状に形成されている。具体的には、延出部３は、締付部材２ｃの挿通方向に直行する方向に、より詳しくは、連結具本体２の幅方向に沿って板状に形成されたものである。また、延出部３は、連結具本体２の幅と略等しい幅で形成されている。
【００２８】
また、延出部３は、バネ部材４を挿通可能に形成された一対のバネ部材挿通孔４２を備えている。該一対のバネ部材挿通孔４２は、連結具本体２に幹線Ｃａ及び分岐線Ｃｂが接続された状態において、幹線Ｃａ及び分岐線Ｃｂの軸方向に間隔をおいて形成されている。具体的には、一対のバネ部材挿通孔４２は、延出部３の幅方向の両端部に備えられている。また、一対のバネ部材挿通孔４２の間には前記挿入孔５が形成されている。
【００２９】
バネ部材挿通孔４２は、挿通されたバネ部材４が挿入孔５に対して接離自在となるように構成されている。具体的には、バネ部材挿通孔４２は、挿通されたバネ部材４がバネ部材挿通孔４２の内側で前記バネ部材取付孔４１ａ，４１ｂを中心に揺動可能となるような大きさで形成されている。また、延出部３の下端部には、凹凸が設けられ、延出部３を把持した際に滑り難いように構成されている。また、延出部３は、前記締付部材２ｃの挿通方向に直行する方向に対して所定の角度をなすように形成されている。具体的には、延出部３は、その先端部がボルト部材２１ｃのボルト頭部から離れるように締付部材２ｃの挿通方向に直行する方向に対して所定の角度で形成されている。
【００３０】
また、延出部３には、前記把持手段Ｉの一対の先端部のうち少なくとも一方の先端部を挿入可能に構成された挿入孔５が形成されている。該挿入孔５は、一対のバネ部材４の間に位置するように形成されている。具体的には、挿入孔５は、延出部３の略中央部に形成されている。また、挿入孔５は、締付部材２ｃの挿通方向に沿って、即ち、延出部３の延出方向に略直行する方向に延出部３を貫通するように形成されている。また、挿入孔５は、バネ部材４よりも延出部３の延出方向側（下方側）に位置するように形成されている。具体的には、挿入孔５は、一対のバネ部材４よりも下方に略全体が位置するように形成されている。また、挿入孔５は、略四角形状に形成されている。
【００３１】
前記一対のバネ部材４は、連結具本体２に取り付けられた状態で連結具本体２を内側に向かって付勢するように構成されている。具体的には、バネ部材４は、剛性を有する素材（例えば、金属製の棒部材）の両端部が対峙するように湾曲され、リング状に形成されたものである。また、バネ部材４は、連結具本体２に取り付けられる際に、両端部の間隔が広げられた状態で連結具本体２を挟み込むようにバネ部材取付孔４１ａ，４１ｂに差し込まれている。これにより、バネ部材４には、挟込部材２ａ，２ｂを内側に向かって付勢する応力が生じ、挟込部材２ａ，２ｂを対峙した状態で維持することが可能となっている。また、バネ部材４は、連結具本体２に取り付けられた状態において、挿入孔５よりも上方（連結具本体２側）に位置するように取り付けられている。
【００３２】
次に本実施形態にかかる連結具１を使用する際の手順について説明する。
【００３３】
連結具１に幹線Ｃａ及び分岐線Ｃｂを接続する際の手順としては、図２に示すように、まず初めに、ボルト部材２１ｃを緩めた状態にし、分岐線Ｃｂの導線部を分岐線接続部２２（分岐線接続溝２２ａ，２２ｂの間）に挿通し、連結具本体２から突出した先端部を屈曲させる。この状態において連結具本体２はバネ部材４の作用によって内側に付勢されており、また、分岐線Ｃｂの先端部が屈曲されているため、ボルト部材２１ｃが緩んだ状態であっても分岐線Ｃｂが連結具本体２から抜け落ちることが防止されている。次に、挿入孔５に把持手段Ｉの一方の先端部を挿入し、把持手段Ｉの一対の先端部を閉じることで延出部３を把持する。なお、把持手段Ｉとしては、間接活線作業用ヤットコを用いることができる。具体的には、一対の先端部が閉じた状態において、把持手段Ｉの一方の先端部が他方の先端部に形成された切欠きの間に位置するように構成された間接活線作業用ヤットコを用いることができる。このような把持手段Ｉを用いることで、延出部３を把持した状態で、把持手段Ｉの他方の先端部は、延出部３に沿って延出部３に当接し、他方の先端部に形成された切欠きに一方の先端部が位置することとなる。これにより、把持手段Ｉの一方の先端部と挿入孔５とが掛合した状態となり、連結具１は、把持手段Ｉによって確実に把持された状態で維持される。
【００３４】
そして、把持手段Ｉを操作して、架設された幹線Ｃａの導線部に幹線差込溝２３を押し当てる。これにより、幹線接続溝２１ａ，２１ｂの間隔を分岐線接続部２２を軸に押し広げて幹線接続溝２１ａ，２１ｂの間に幹線Ｃａの導線部を配置する。そして、図３に示すように、ボルト部材２１ｃに間接活線作業用ラチェットＩＩを連結し、ボルト部材２１ｃを回転させて締めこむことで、幹線Ｃａの導線部は、幹線接続溝２１ａ，２１ｂに挟み込まれた状態で固定され、また、分岐線Ｃｂの導線部は、分岐線接続溝２２ａ，２２ｂに挟み込まれた状態で固定される。これにより、幹線Ｃａ及び分岐線Ｃｂは、連結具１に接続され、幹線Ｃａの電路が分岐線Ｃｂによって分岐された状態となる。この際、延出部３の先端部がボルト頭部から離間するように延出部３が所定の角度で連結具本体２に備えられているため、延出部３を把持手段Ｉで把持した際に、間接活線作業用ラチェットＩＩの可動範囲から把持手段Ｉを退避させることができ、間接活線作業用ラチェットＩＩと把持手段Ｉとが干渉することを防止することが可能となっている。
【００３５】
一方、幹線Ｃａと分岐線Ｃｂとの連結を切断する際には、幹線Ｃａ及び分岐線Ｃｂが接続された連結具１の挿入孔５に把持手段Ｉの一方の先端部を挿入した状態で延出部３を把持し、ボルト部材２１ｃに間接活線作業用ラチェットＩＩを連結して回転させてボルト部材２１ｃを緩める。そして、幹線Ｃａの導線部に交差する方向に連結具１を引っ張ることで、幹線接続部２１から幹線Ｃａの導線部を引き抜き、幹線Ｃａと分岐線Ｃｂとの連結を切断する。
【００３６】
以上のように、第一実施形態にかかる間接活線作業用連結具１によれば、絶縁ヤットコ等の把持手段を用いて延出部３を確実に把持することができ、把持した状態での間接活線作業の作業性を向上させることができる。
【００３７】
即ち、前記連結具１は、把持手段Ｉの少なくとも一方の先端部を挿入可能に構成された挿入孔５を一対のバネ部材４の間に位置するように前記延出部３に備えていることで、把持手段Ｉの少なくとも一方の先端部を挿入孔５に挿入した状態で延出部３を把持した際に、把持手段Ｉの少なくとも一方の先端部が挿入孔５と掛合した状態となり、把持手段Ｉの一対の先端部を閉じた状態に維持することで、延出部３を把持した状態を容易に維持することができる。このため、把持手段Ｉを用いて延出部３を挟み込むように把持した場合のように、把持手段Ｉが延出部３から滑ってしまうことがなく、また、より少ない力で安定して把持することができる。
【００３８】
また、前記連結具１は、挿入孔５がバネ部材４よりも延出部３の延出方向側（下方側）に位置するように形成されることで、挿入孔５に把持手段Ｉの先端部を挿入する際に、バネ部材４が障害となることを抑制することができ、様々な方向から把持手段Ｉを挿入孔５に接近させることが可能となり、容易に延出部３を把持することができる。
【００３９】
また前記連結具１は、バネ部材挿通孔４２に挿通されたバネ部材４が挿入孔５に対して接離自在であることで、挿入孔５に把持手段Ｉの先端部を接近させた際に、バネ部材４が把持手段Ｉの先端部と干渉することを抑制することができる。具体的には、把持手段Ｉの先端部を挿入孔５に接近させる際に、バネ部材挿通孔４２の内側においてバネ部材４を挿入孔５から離間させることが可能となり、挿入孔５に把持手段Ｉの一方の先端部を挿入する際にバネ部材４と把持手段Ｉの先端部とが干渉することを抑制することができる。このため、把持手段Ｉの一方の先端部を容易に挿入孔５に挿入し、把持することができる。
【００４０】
＜第二実施形態＞
次に本発明の第二実施形態ついて、図４を用いて説明する。第二実施形態に係る連結具１は、第一実施形態と共通する構成を有するが、主に延出部３の構成と挿入孔５の構成が異なるものである。従って、以下では第一実施形態と異なる点を中心に説明し、同一の構成に対しては同一の符号を付すこととして説明を省略する。
【００４１】
第二実施形態にかかる延出部３０は、下端側が円弧状に形成されている。また、挿入孔５０は、略円形状に形成されている。具体的には、延出部３０は、その下端側が挿入孔５０の中心から一定距離となるように円弧状に形成されている。また、挿入孔５０は、把持手段Ｉの一方の先端部を挿入可能な大きさの略円形状に形成されている。
【００４２】
以上のように構成されることで、連結具１を様々な方向から把持することができる。具体的には、挿入孔５０が略円形状であるため、把持手段Ｉの一方の先端部を挿入孔５０に挿入する際に様々な方向（具体的には、延出部３０に沿った様々な方向）から挿入することができ、作業環境に応じて把持することができる。例えば、挿入孔５の垂直方向下方以外の方向からも挿入孔５０に把持手段の一方の先端部を挿入することが可能となるため、挿入孔５０と作業者との位置関係に影響されることなく、確実に延出部３を把持することができる。また、延出部３０の下端部が円弧状に形成されていることで、延出部３を把持する際の方向が変わったとしても、延出部３０と把持手段Ｉの他方の先端部との当接する面積が等しくなり、どの方向から延出部３を把持した場合であっても、安定して把持することができる。
【００４３】
＜第三実施形態＞
次に本発明の第三実施形態ついて、図５を用いて説明する。第三実施形態に係る連結具１は、第二実施形態と共通する構成を有するが、主に挿入孔５０の構成が異なるものである。従って、以下では第二実施形態と異なる点を中心に説明し、同一の構成に対しては同一の符号を付すこととして説明を省略する。
【００４４】
第三実施形態にかかる挿入孔５１は、把持手段Ｉの一方の先端部が挿入された状態において、連結具１が挿入孔５１を中心に回転するのを防止するように構成されている。具体的には、挿入孔５１の内周には、挿入孔５１に挿入された把持手段Ｉの一方の先端部の角部に当接する複数の突起５１’が形成されている。これにより、挿入孔５１の内側で把持手段Ｉの一方の先端部が回転するのを防止することができる。即ち、延出部３を把持した状態で連結具１が挿入孔５１を中心に回転するのを防止することができ、安定して連結具１を把持することができる。このため、幹線Ｃａ及び分岐線Ｃｂを連結具１に取り付け取り外しする際の作業性を向上させることができる。
【００４５】
＜第四実施形態＞
次に本発明の第四実施形態ついて、図６を用いて説明する。第四実施形態に係る連結具１は、第一実施形態と共通する構成を有するが、主に挿入孔５の構成が異なるものである。従って、以下では第一実施形態と異なる点を中心に説明し、同一の構成に対しては同一の符号を付すこととして説明を省略する。
【００４６】
第四実施形態にかかる挿入孔５２は、把持手段Ｉの一方の先端部が挿入される方向に向かって断面積が小さくなるように形成されている。具体的には、把持手段Ｉの一方の先端部が挿入孔５２に挿入されて延出部３から突出した状態において、把持手段Ｉの一方の先端部の外周に挿入孔５２の内周が接触するように構成されている。即ち、挿入孔５２は、把持手段Ｉの一方の先端部を挿入する側の開口よりも、突出する側の開口の方が狭くなるように形成されている。このように構成されることで、挿入孔５２に挿入された把持手段Ｉの一方の先端部の動きが制限されるため、把持手段Ｉの一方の先端部が挿入孔５２に挿入された状態で把持手段Ｉの一方の先端部に沿って連結具１が意図せずに移動してしまうことを防止することができる。
【００４７】
なお、本発明に係る間接活線作業用連結具は、上記実施形態に限定されるものではなく、本発明の要旨を逸脱しない範囲で種々の変更が可能である。
【００４８】
例えば、上記第１〜４実施形態では、挿入孔に把持手段Ｉの一方の先端部が挿入されているが、これに限定されるものではなく、把持手段Ｉの一対の先端部の両方が挿入孔に挿入可能となるように挿入孔を構成してもよい。
【００４９】
また、上記第二実施形態では、挿入孔５０が円形状に形成されているがこれに限定されるものではなく、下方側が円弧状に形成された半円状の挿入孔であってもよい。
【図面の簡単な説明】
【００５０】
【図１】第一実施形態にかかる間接活線作業用連結具を示した図であって、（ａ）は側面図、（ｂ）は正面図。
【図２】第一実施形態にかかる間接活線作業用連結具が把持手段に把持された状態を示した図であって、（ａ）は側面図、（ｂ）は正面図。
【図３】第一実施形態にかかる間接活線作業用連結具が把持手段に把持された状態であって、ボルト部材に間接活線作業用ラチェットが連結された状態を示す側面図。
【図４】第二実施形態にかかる間接活線作業用連結具を示した図であって、（ａ）は幹線及び分岐線に取り付けられた状態を示す正面図、（ｂ）は（ａ）の連結具を把持手段で把持した状態を示す正面図。
【図５】第三実施形態にかかる間接活線作業用連結具を示した図であって、（ａ）は幹線及び分岐線に取り付けられた状態を示す正面図、（ｂ）は（ａ）の連結具を把持手段で把持した状態を示す正面図。
【図６】第四実施形態にかかる間接活線作業用連結具を示した図であって、（ａ）は幹線及び分岐線に取り付けられた状態を示す正面図、（ｂ）は（ａ）の連結具を把持手段で把持した状態を示す正面図。
【符号の説明】
【００５１】
１…間接活線作業用連結具、２…連結具本体、２ａ，２ｂ…挟込部材、２ｃ…締付部材、３…延出部、４…バネ部材、５       挿入孔、２１…幹線接続部、２１ａ，２１ｂ…幹線接続溝、２１ｃ…ボルト部材、２２…分岐線接続部、２２ａ，２２ｂ…分岐線接続溝、２２ｃ…座金部材、２３…幹線差込溝、２３ａ，２３ｂ…テーパー部、３０…延出部、４１ａ，４１ｂ…バネ部材取付孔、４２…バネ部材挿通孔、５０…挿入孔、５１…挿入孔、５２…挿入孔、Ｃａ…幹線、Ｃｂ…分岐線、Ｉ…把持手段、ＩＩ…間接活線作業用ラチェット
【図１】
2010129340.tif 000003
【図２】
2010129340.tif 000004
【図３】
2010129340.tif 000005
【図４】
2010129340.tif 000006
【図５】
2010129340.tif 000007
【図６】
2010129340.tif 000008